(57)【特許請求の範囲】
【請求項１】
自走式クローラ上の旋回体に枢着された支柱を屈曲して端部を前方に突き出した懸垂アームとし、該懸垂アームの支柱に乗降デッキを支持する支持アームを固定し、該支持アームの後部に巻上機架台を枢着し、前記支持アーム及び巻上機架台をそれぞれ旋回体に装着した懸垂アーム俯仰シリンダー及び前記支柱に装着した巻上機架台支持シリンダーによって支持させ、前記懸垂アームの端部に掛けられたワイヤにより懸垂されたケージを前記巻上機架台上の巻上機によって上下に昇降可能としたことを特徴とする竪孔用仮設エレベーター。
【請求項２】
自走式クローラ上の旋回体に枢着された支柱を屈曲して端部を前方に突き出した懸垂アームとし、該懸垂アームの支柱に乗降デッキを支持する支持アームを固定し、該支持アームの後部に巻上機架台を枢着し、前記支持アーム及び巻上機架台をそれぞれ旋回体に装着した懸垂アーム俯仰シリンダー及び前記支柱に装着した巻上機架台支持シリンダーによって支持させ、前記懸垂アームの端部に掛けられたワイヤにより懸垂されたケージを前記巻上機架台上の巻上機によって上下に昇降可能とした竪孔用仮設エレベーターを輸送する際、前記懸垂アーム俯仰シリンダー及び巻上機架台支持シリンダーを操作して懸垂アームを水平に俯仰させるとともに、前記巻上機架台も水平に位置させた状態で前記ケージと共に低床トレーラに載置して輸送することを特徴とした竪孔用仮設エレベーターの輸送方法。
【請求項３】
自走式クローラ上の旋回体に枢着された支柱を屈曲して端部を前方に突き出した懸垂アームとし、該懸垂アームの支柱に乗降デッキを支持する支持アームを固定し、該支持アームの後部に巻上機架台を枢着し、前記支持アーム及び巻上機架台をそれぞれ旋回体に装着した懸垂アーム俯仰シリンダー及び前記支柱に装着した巻上機架台支持シリンダーによって支持させ、前記懸垂アームの端部に掛けられたワイヤにより懸垂されたケージを前記巻上機架台上の巻上機によって上下に昇降可能とし、かつ前記懸垂アームの端部に掛けられ、下端に重錘が設けられたガイドロープにより前記ケージがガイドされて昇降可能としたことを特徴とする竪孔用仮設エレベーター。
【請求項４】
自走式クローラ上の旋回体に枢着された支柱を屈曲して端部を前方に突き出した懸垂アームとし、該懸垂アームの支柱に乗降デッキを支持する支持アームを固定し、該支持アームの後部に巻上機架台を枢着し、前記支持アーム及び巻上機架台をそれぞれ旋回体に装着した懸垂アーム俯仰シリンダー及び前記支柱に装着した巻上機架台支持シリンダーによって支持させ、前記懸垂アームの端部に掛けられたワイヤにより懸垂されたケージを前記巻上機架台上の巻上機によって上下に昇降可能とし、かつ前記懸垂アームの端部に掛けられ、下端に重錘が設けられたガイドロープにより前記ケージがガイドされて昇降可能とした竪孔用仮設エレベーターを輸送する際、前記懸垂アーム俯仰シリンダー及び巻上機架台支持シリンダーを操作して懸垂アームを水平に俯仰させるとともに、前記巻上機架台も水平に位置させた状態で前記ケージ及び重錘と共にワイヤとガイドロープを外さずに低床トレーラに載置して輸送することを特徴とした竪孔用仮設エレベーターの輸送方法。
【発明の詳細な説明】
【０００１】
【発明の属する技術分野】
本発明は、深礎杭用などの竪孔の掘削形成に際して、孔内に作業員を運搬する場合などに用いられる竪孔用仮設エレベーター及びその仮設エレベーターの輸送方法に係わり、特に公道上の輸送の際に高さが制限寸法の範囲内に簡単に折りたためるようにした竪孔用仮設エレベーター及びその竪孔用仮設エレベーターの輸送方法に関する。
【０００２】
【従来の技術】
従来、深礎杭は地面に孔を設け、その孔内に配筋を施すなどしてその孔にコンクリートを打設して施工されるものである。
その孔の掘削形成方法には、手掘りのみによる方法と機械掘削を用いる方法とがあるが、現在ではその施工の迅速さ及び安全性の高さから機械掘削を用いる方法が多く採用されている。その機械掘削には例えば、油圧式ショベルに深掘り用クラムシェルアタッチメントを取り付けたものが用いられている。そして、機械掘削と同時に孔内の作業のための作業員昇降設備を孔内に構築するようにしている。
【０００３】
この作業員昇降設備には、孔壁側にはしごを付設したはしご道や仮設エレベーターがあり、仮設エレベーターには孔壁側にガイドレールを付設してそのガイドレールに沿ってケージを昇降させるレール固定式のものや、孔口に架台を設置しその架台から垂下されたロープによりケージを昇降させるロープガイド式のものなどがある。
ところが、そのような作業員昇降設備は、いずれも掘削機械を移動する際に障害となり、掘削作業の効率の低下を招いている。また特に、杭径３ｍ以下の場合には、その作業員昇降設備のために掘削機械が入らず、手掘りをせざるを得なくなるという問題があった。
【０００４】
そこで、最近、孔口に設けられたやぐらからウインチのワイヤを垂下し、そのワイヤにケージを設けることにより、そのウインチによりケージを昇降させるようにし、さらにやぐらを孔口側に接近させたり、離したりするようにレール上に移動自在に設置した仮設エレベーターが提案されている。この仮設エレベーターによれば、機械掘削を行なう際には、ウインチによりケージを孔口より上方に引上げた後、やぐらをレールに沿って孔口から離間させることによって仮設エレベーターを孔内から撤退させることができるので、上記掘削の問題を解決することができる。
【０００５】
【発明が解決しようとする課題】
ところで、深礎杭は施工現場に多数本設けられるものであるので、従来は各深礎杭施工場所にそれぞれ一個の仮設エレベーターを設けるようにしていた。しかし、仮設エレベーターは、上述のように掘削中には使用する必要がないので、仮設エレベーターが掘削作業中は遊んでいる状況が生じている。これによって施工の非効率化及びコスト高を生じてしまう欠点があった。そこで、一個の仮設エレベーターを複数の深礎杭施工場所で兼用とすることが考えられるが、従来の仮設エレベーターでは、定置式であるためにその移動設置にクレーン等を要し、実質的にその移動設置が困難であった。
【０００６】
そこで、仮設エレベーターの小型化を進めたものとして特願平７−２５１６５３号によって提案されたが、これは図４に示すように、自走式クローラ１上の旋回体２に、端部が前方に突き出るように屈曲された懸垂アーム３を立設し、その懸垂アーム３を２本のステー４，４Ａによって支持させ、この懸垂アーム３の端部に掛けられたワイヤ５により懸垂され、図示しないガイドロープにガイドされたケージ６を備え、そのケージ６を昇降させる主巻上げウインチ７を後部のウインチ支持台８に備えている仮設エレベーターであるが、この提案された仮設エレベーターは上記屈曲された懸垂アーム３が俯仰しないため公道上の運搬の際に高さが制限寸法以上となって分解する以外は公道上の運搬が実質的に不可能であるという問題があった。図において符号９は乗降デッキである。
【０００７】
本発明は、上記の事情に鑑みてなされたものであり、深礎杭用などの竪孔の掘削形成に際して、孔内に作業員を安全に搬送でき、特に公道上の輸送の際には全体の高さが公道における一般車輌の制限寸法の範囲内に簡単に折りたためるようにした竪孔用仮設エレベーター及びその竪孔用仮設エレベーターの輸送方法を提供することを目的としている。
【０００８】
【課題を解決するための手段】
本発明は、上記目的を達成するための、自走式クローラ上の旋回体に枢着された支柱を屈曲して端部を前方に突き出した懸垂アームとし、該懸垂アームの支柱に乗降デッキを支持する支持アームを固定し、該支持アームの後部に巻上機架台を枢着し、前記支持アーム及び巻上機架台をそれぞれ旋回体に装着した懸垂アーム俯仰シリンダー及び前記支柱に装着した巻上機架台支持シリンダーによって支持させ、前記懸垂アームの端部に掛けられたワイヤにより懸垂されたケージを前記巻上機架台上の巻上機によって上下に昇降可能としたことを特徴とする竪孔用仮設エレベーターである。
【０００９】
また、自走式クローラ上の旋回体に枢着された支柱を屈曲して端部を前方に突き出した懸垂アームとし、該懸垂アームの支柱に乗降デッキを支持する支持アームを固定し、該支持アームの後部に巻上機架台を枢着し、前記支持アーム及び巻上機架台をそれぞれ旋回体に装着した懸垂アーム俯仰シリンダー及び前記支柱に装着した巻上機架台支持シリンダーによって支持させ、前記懸垂アームの端部に掛けられたワイヤにより懸垂されたケージを前記巻上機架台上の巻上機によって上下に昇降可能とした竪孔用仮設エレベーターを輸送する際、前記懸垂アーム俯仰シリンダー及び巻上機架台支持シリンダーを操作して懸垂アームを水平に俯仰させるとともに、前記巻上機架台も水平に位置させた状態で前記ケージと共に低床トレーラに載置して輸送することを特徴とした竪孔用仮設エレベーターの輸送方法である。
【００１０】
さらに、自走式クローラ上の旋回体に枢着された支柱を屈曲して端部を前方に突き出した懸垂アームとし、該懸垂アームの支柱に乗降デッキを支持する支持アームを固定し、該支持アームの後部に巻上機架台を枢着し、前記支持アーム及び巻上機架台をそれぞれ旋回体に装着した懸垂アーム俯仰シリンダー及び前記支柱に装着した巻上機架台支持シリンダーによって支持させ、前記懸垂アームの端部に掛けられたワイヤにより懸垂されたケージを前記巻上機架台上の巻上機によって上下に昇降可能とし、かつ前記懸垂アームの端部に掛けられ、下端に重錘が設けられたガイドロープにより前記ケージがガイドされて昇降可能としたことを特徴とする竪孔用仮設エレベーターである。
【００１１】
また、自走式クローラ上の旋回体に枢着された支柱を屈曲して端部を前方に突き出した懸垂アームとし、該懸垂アームの支柱に乗降デッキを支持する支持アームを固定し、該支持アームの後部に巻上機架台を枢着し、前記支持アーム及び巻上機架台をそれぞれ旋回体に装着した懸垂アーム俯仰シリンダー及び前記支柱に装着した巻上機架台支持シリンダーによって支持させ、前記懸垂アームの端部に掛けられたワイヤにより懸垂されたケージを前記巻上機架台上の巻上機によって上下に昇降可能とし、かつ前記懸垂アームの端部に掛けられ、下端に重錘が設けられたガイドロープにより前記ケージがガイドされて昇降可能とした竪孔用仮設エレベーターを輸送する際、前記懸垂アーム俯仰シリンダー及び巻上機架台支持シリンダーを操作して懸垂アームを水平に俯仰させるとともに、前記巻上機架台も水平に位置させた状態で前記ケージ及び重錘と共にワイヤとガイドロープを外さずに低床トレーラに載置して輸送することを特徴とした竪孔用仮設エレベーターの輸送方法である。
【００１２】
【発明の実施の形態】
次に、本発明の実施の形態について説明すると、竪孔用仮設エレベーターは自走式クローラ上の旋回体に枢着された支柱を屈曲して端部を前方に突き出した懸垂アームとし、該懸垂アームの支柱に乗降デッキを支持する支持アームを固定し、該支持アームの後部に巻上機架台を枢着し、前記支持アーム及び巻上機架台をそれぞれ旋回体に装着した懸垂アーム俯仰シリンダー及び前記支柱に装着した巻上機架台支持シリンダーによって支持させ、前記懸垂アームの端部に掛けられたワイヤにより懸垂されたケージを前記巻上機架台上の巻上機によって上下に昇降可能とし、かつ前記懸垂アームの端部に掛けられ、下端に重錘が設けられたガイドロープにより前記ケージがガイドされて昇降可能に構成されているから、この竪孔用仮設エレベーターを深礎杭用などの竪孔を掘削する現場に公道上を輸送する際には、自走式クローラ上の旋回体と乗降デッキを支持する支持アームとの間に装着されている前記懸垂アーム俯仰シリンダーを縮めて前記旋回体に枢着された支柱と懸垂アームとを懸垂アームが水平になるように前記支柱の下端部を中心として回動させるとともに、支持アームに支持された乗降デッキなどを同時に回動傾斜させる。
さらに、旋回体と巻上機架台との間に装着されている前記巻上機架台支持シリンダーも縮めて支持アームの後部に枢着した巻上機架台も水平状態にして運送用の低床トレーラに積載し、ケージ及び重錘もワイヤやガイドロープを外さずに竪孔用仮設エレベーターと一緒に低床トレーラに載置して輸送する。
【００１３】
この竪孔用仮設エレベーターの輸送方法では、竪孔用仮設エレベーターの装備全体を組み立てたまま低床トレーラに載置して輸送できるとともに、公道の高さ制限寸法の範囲内に保つことができるため竪孔を掘削する現場まで公道上を輸送することが可能である。
そして、深礎杭用などの竪孔を掘削する現場に到達したら竪孔用仮設エレベーターをケージ及び重錘とともに低床トレーラから降ろし、竪孔用仮設エレベーターの前記懸垂アーム俯仰シリンダーと巻上機架台支持シリンダーとを伸長させて懸垂アームと巻上機架台とを所定の作業可能状態にした後、竪孔用仮設エレベーはクローラによって自走して竪孔を掘削する現場の所定位置まで移動させると同時に、旋回体によって仮設エレベーター全体を回動し懸垂アームの先端を掘削する竪孔上に位置させる。
先ず、前記懸垂アームの端部に掛けられたガイドロープにより重錘を降ろし、それからこの重錘によって張られたガイドロープによってケージをガイドさせ、そして前記懸垂アームの端部に掛けられたワイヤにより懸垂されたケージは、前記ガイドロープにガイドされながら巻上機架台上の巻上機によって孔内に降ろしたり、引き上げたりして孔内の作業のための作業員を安全に昇降させることができる。
【００１４】
【実施例】
本発明に係る竪孔用仮設エレベーター及びその輸送方法の実施例について図面を参照して説明する。図１は本実施例の側面図、図２は本実施例の平面図であり、図３は低床トレーラに載置した状態を示す側面図である。
図において本実施例である竪孔用仮設エレベーターＡは、自走式クローラ１１上の旋回体１２に設けた２枚のフランジ１５によって支柱１４の下部を挟持し、これにピン１５Ａによって枢着し、支柱１４の上部は屈曲してその端部を前方に突き出した懸垂アーム１３とし、この懸垂アーム１３の支柱１４に乗降デッキ１６を支持する支持アーム１７を交差して固定し、この支持アーム１７の後部に巻上機架台１８をピン１９によって枢着する。さらにこの支持アーム１７は旋回体１２に装着したブラケット２０に枢着した懸垂アーム俯仰シリンダー２１によって支持させ、一方の巻上機架台１８は支柱１４に装着したブラケット２０Ａに枢着した巻上機架台支持シリンダー２２によってそれぞれ支持されている。
【００１５】
一方、前記懸垂アーム１３の端部の滑車２３に掛けられたワイヤ２４により懸垂されたケージ２５を前記巻上機架台１８上の巻上機２６によって上下に昇降可能とし、また前記懸垂アーム１３の端部の滑車２７に掛けられたガイドロープ２９により懸垂された重錘２８を前記巻上機架台１８上のガイドロープ巻上機２６Ａによって上下に昇降可能とし、この下端に重錘２８が取り付けられたガイドロープ２９により前記ケージ２５がガイドされて昇降可能に構成されている。
【００１６】
次に、この竪孔用仮設エレベーターＡを深礎杭用などの竪孔を掘削する現場に公道上を輸送する際には、自走式クローラ１１上の旋回体１２と乗降デッキ１６を支持する支持アーム１７との間に装着されている前記懸垂アーム俯仰シリンダー２１を縮めて前記旋回体１２に対して枢着された支柱１４と懸垂アーム１３とを懸垂アーム１３が水平になるように前記支柱１４の下部のピン１５Ａを中心として回動させると、支持アーム１７に支持された乗降デッキ１６などは同時に回動傾斜する。
さらに、旋回体１２と巻上機架台１８との間に装着されている巻上機架台支持シリンダー２２も縮めて支持アーム１７の後部にピン１９によって枢着した巻上機架台１８も水平状態にして運送用の低床トレーラ３０に積載し、さらにケージ２５及び重錘２８もワイヤ２４やガイドロープ２９を外さずに竪孔用仮設エレベーターＡと一緒に低床トレーラ３０に載置した後、牽引車３１によって低床トレーラ３０を牽引させて掘削現場まで輸送する。
【００１７】
したがって、本実施例の竪孔用仮設エレベーターの輸送方法では、竪孔用仮設エレベーターＡの装備全体を組み立てたまま低床トレーラ３０に載置して輸送できるとともに、公道の高さ制限寸法の範囲（地上高３．８ｍ）内に保つことができるため、竪孔を掘削する現場まで公道上を分解せずに輸送することが可能である。
そして、深礎杭用などの竪孔を掘削する現場に到達したら竪孔用仮設エレベーターＡをケージ２５や重錘２８とともに低床トレーラ３０から降ろし、竪孔用仮設エレベーターＡの前記懸垂アーム俯仰シリンダー２１と巻上機架台支持シリンダー２２とを伸長させて懸垂アーム１３と巻上機架台１８とを所定の作業可能状態にした後、竪孔用仮設エレベーＡはクローラ１１によって自走して竪孔を掘削する現場の所定位置まで移動させると同時に、旋回体１２によって仮設エレベーターＡ全体を回動し懸垂アーム１３の先端を掘削する竪孔上に位置させる。
【００１８】
この状態でケージ２５や重錘２８が掘削する竪孔上に位置したら、ガイドロープ巻上機２６Ａを駆動して懸垂アーム１３の端部の滑車２７に掛けられたガイドロープ２９により重錘２８を竪孔の中に降ろし、次いで作業員は乗降デッキ１６に乗り込み、進退シリンダー１７Ａを伸ばして乗降デッキ１６をケージ２５に近接させた後、作業員は近接した乗降デッキ１６からケージ２５内に移り、この作業員が乗ったケージ２５は、前記巻上機架台１８上の巻上機２６を駆動して重錘２８によって張られたガイドロープ２９にガイドされながら前記懸垂アーム１３の端部の滑車２３に掛けられたワイヤ２４により孔内に降りたり、引き上げられたりできるから、孔内の作業のための作業員を横揺れなく安全に昇降させることができる。
【００１９】
【発明の効果】
以上説明した本発明によれば、自走式クローラ上の旋回体に枢着された支柱を屈曲して端部を前方に突き出した懸垂アームとし、この懸垂アームの支柱に乗降デッキを支持する支持アームを固定し、支持アームの後部に巻上機架台を枢着し、前記支持アーム及び巻上機架台をそれぞれ旋回体に装着した懸垂アーム俯仰シリンダー及び前記支柱に装着した巻上機架台支持シリンダーによって支持させる構成になっているから、この竪孔用仮設エレベーターを深礎杭用などの竪孔を掘削する現場に公道上を輸送する際には、前記懸垂アーム俯仰シリンダーを縮めて前記旋回体に枢着された支柱と懸垂アームとを懸垂アームが水平になるように回動させるとともに、支持アームに支持された乗降デッキなどを同時に回動傾斜させ、さらに前記巻上機架台支持シリンダーも縮めて支持アームの後部に枢着した巻上機架台も水平状態にして運送用の低床トレーラにケージ用ワイヤを外さずに竪孔用仮設エレベーターと一緒に低床トレーラに載置して一切分解せずに輸送することができる。
したがって、本発明の竪孔用仮設エレベーターの輸送方法によれば、竪孔用仮設エレベーターの装備全体を組み立てたまま低床トレーラに載置して輸送できるから竪孔掘削施工の効率化及び安全性が向上されるとともに、分解の必要がないため配線も解線もしなくてよく、また公道における一般車輌の高さ制限寸法の範囲内に保つことができるため竪孔を掘削する現場まで公道上を分解せずに輸送することが可能である。
【００２０】
また、竪孔用仮設エレベーターのケージをガイドロープによってガイドさせて昇降する場合でも、運送用の低床トレーラにケージ及び重錘もワイヤやガイドロープを外さずに竪孔用仮設エレベーターと一緒に低床トレーラに載置して輸送することができる。
したがって、本発明の竪孔用仮設エレベーターの輸送方法によれば、竪孔用仮設エレベーターの装備全体を組み立てたまま低床トレーラに載置して輸送できるから竪孔掘削施工の効率化及び安全性が向上されるとともに、分解の必要がないため配線も解線もしなくてよく、また公道における一般車輌の高さ制限寸法の範囲内に保つことができるため竪孔を掘削する現場まで公道上を分解せずに輸送することが可能である。
【図面の簡単な説明】
【図１】本実施例の側面図である。
【図２】本実施例の平面図である。
【図３】本実施例を低床トレーラに載置した状態を示す側面図である。
【図４】従来例の側面図である。
【符号の説明】
１１  自走式クローラ
１２  旋回体
１３  懸垂アーム
１４  支柱
１５  フランジ
１６  乗降デッキ
１７  支持アーム
１８  巻上機架台
１９  ピン
２１  懸垂アーム俯仰シリンダー
２２  巻上機架台支持シリンダー
２３，２７  滑車
２４  ワイヤ
２５  ケージ
２６  巻上機
２６Ａ  ガイドロープ巻上機
２８  重錘
２９  ガイドロープ
３０  低床トレーラ
３１  牽引車
Ａ  竪孔用仮設エレベーター
【図１】
0003815756.tif 000002
【図２】
0003815756.tif 000003
【図３】
0003815756.tif 000004
【図４】
0003815756.tif 000005